(57)【特許請求の範囲】
【請求項１】
後方にリード端子が接続されるガスセンサ素子と、該ガスセンサ素子の周囲を囲み、且つ該ガスセンサ素子を保持する主体金具と、該主体金具の後方に接合され、該ガスセンサ素子の後方を囲むように設けられる外筒と、該外筒内に設けられるとともに、該リード端子を挿通する合成樹脂製のセパレータと、を備えるガスセンサであって、
該セパレータは、その先方側を該外筒内に設けられるゴム製パッキングによって支承され、
上記セパレータの後部端面は凹面状であり、上記セパレータの後方に位置するキャップを具備し、
該キャップは、上記リード端子に接続されるリード線を挿通し、且つ少なくとも該セパレータの後部端面の縁部と接触しており、
上記セパレータの上記凹面状の部分は空隙となって、この空隙の部分で上記セパレータは上記キャップと離隔していることを特徴とするガスセンサ。
【請求項２】
上記キャップは、ゴム素材からなる請求項１に記載のガスセンサ。
【請求項３】
上記パッキングは略リング形状である請求項１又は２に記載のガスセンサ。
【請求項４】
上記外筒は、先方側に配置される第１外筒、及び後方側に配置される第２外筒を接合して構成され、上記パッキングは、該第１外筒の後端部側、及び該第２外筒の内面に密着するように支承されている請求項１乃至３のいずれか一項に記載のガスセンサ。
【請求項５】
上記セパレータはエンジニアリングプラスチック製である請求項１乃至４のいずれか一項に記載のガスセンサ。
【発明の詳細な説明】
【０００１】
【発明の属する技術分野】
本発明は、内燃機関の排気ガス用のジルコニア酸素センサ等、各種の燃焼装置における空燃比の制御等に利用するガスセンサに関する。更に詳しくは、リード線の引き出し部位の熱による劣化が少ないガスセンサに関する。
【０００２】
【従来の技術】
排気ガス中の酸素等を測定するために用いられるジルコニア酸素センサのリード線は、それぞれ保護外筒から引き出されている。また、それぞれのリード線が互いに接触して短絡するのを防ぐために、図６に示す、特開平１１−７２４６３号公報のように、セパレータ１８によってリード線を隔離しているガスセンサが知られている。
【０００３】
【発明が解決しようとする課題】
しかし、このようなセパレータは、図６に示すように保護外筒の内側に設けられた金属製ばねによって支持されているため、保護外筒からの熱が伝わり易く、耐熱性に優れた素材を使う必要があった。
本発明は、このような問題点を解決するものであり、保護外筒からの熱がセパレータに伝わりにくい構造を備え、セパレータの熱による劣化が少ないガスセンサを提供することを目的とする。
【０００４】
【課題を解決するための手段】
本発明のガスセンサは、後方にリード端子が接続されるガスセンサ素子と、該ガスセンサ素子の周囲を囲み、且つ該ガスセンサ素子を保持する主体金具と、該主体金具の後方に接合され、該ガスセンサ素子の後方を囲むように設けられる外筒と、該外筒内に設けられるとともに、該リード端子を挿通する合成樹脂製のセパレータと、を備えるガスセンサであって、該セパレータは、その先方側を該外筒内に設けられるゴム製パッキングによって支承され、
上記セパレータの後部端面は凹面状であり、上記セパレータの後方に位置するキャップを具備し、
該キャップは、上記リード端子に接続されるリード線を挿通し、且つ少なくとも該セパレータの後部端面の縁部と接触しており、
上記セパレータの上記凹面状の部分は空隙となって、この空隙の部分で上記セパレータは上記キャップと離隔していることを特徴とする。
【０００５】
また、本発明のガスセンサは、上記パッキングを任意形状とすることができ、例えば、略リング形状とすることができる。また、円柱形状などとすることもできる。
また、上記外筒は、先方側に配置される第１外筒、及び後方側に配置される第２外筒を接合して構成され、上記パッキングは、該第１外筒の後端部側、及び該第２外筒の内面に密着するように支承するように配設することができる。
更に、上記セパレータの後部端面は凹面状であり、上記セパレータの後方に位置するキャップを具備し、該キャップは、上記リード端子に接続されるリード線を挿通し、且つ少なくとも該セパレータの後部端面の縁部に接触する。
【０００６】
上記「セパレータ」は、使用温度で劣化が少なく、絶縁性を備えるエンジニアプラスチックとすることができる。この例として、エンジニアプラスチックでは、ポリエーテルエーテルケトン（ＰＥＥＫ）、ポリエーテルケトン（ＰＥＫ）、ポリエーテルスルホン、ポリスルホン、ポリエーテルイミド、ポリオキシベンゾイル、ポリアミド、ポリカーボネート、ポリアセタール及びポリフェニレンサルファイド等を挙げることができる。
上記「パッキング」は、該第１外筒の端部側、及び該第２外筒の内面の間を塞いで気密性を保つことができればよく、その塞ぎ方は任意とすることができる。
更に、パッキング及びキャップは、フッ素ゴムやシリコンゴムなど、耐熱性を備えたゴム素材を例示することができる。
【０００７】
上記「凹面状」とは、周縁から中央側に向かってへこみが生じている形状であればよく、具体的な形状は任意とすることができる。例えば、球面状としてもよいし、円錐状、角錐状等を例示できる。また、任意形状の平坦な底を有していてもよい。
【０００８】
【発明の実施の形態】
以下、本発明のガスセンサに関する実施例により本発明を更に詳しく説明する。本ガスセンサは、ガソリンエンジン等の内燃機関の排気管に接続され、排気ガス中の酸素ガスを測定するために用いられる。
本ガスセンサ１は、図１及び２に示すように、センサ素子１１、主体金具１２、第１外筒１３及び第２外筒１４からなる外筒、パッキング１５、セパレータ１６、キャップ１７及びリード線１８２を備える。
【０００９】
センサ素子１１は、図２に示すように、その先端側１１１を排気ガスに曝すことで、排気ガス中の酸素濃度を測定することができるジルコニア酸素センサであり、末端側１１２（特許請求の範囲における導出側）にリード端子１８１が接続されている。
主体金具１２及び第１外筒１３は図１及び図２に示すように、略筒形状であり、互いに接合されるとともにセンサ素子１１を収納するように配設される。また、第１外筒１３の先端からセンサ素子１１の先端側がプロテクタ１９を介して露出するように配設される。
第１外筒１３の末端側には略筒形状の第２外筒１４（保護外筒ともいう）が設けられている。この第２外筒１４の末端からはリード端子１８１に接続されたリード線１８２が導出される。また、第２外筒１４内は、筒方向に貫通するリード線１８２の他、パッキング１５、セパレータ１６及びキャップ１７が設けられている。
【００１０】
セパレータ１６は、図２〜５に示すように、略円柱体のエンジニアプラスチック（ＰＥＥＫ等を例示できる。）の成形体である。また、外周面にはリブ１６１が立設する。このリブ１６１は、周面の両端に周回するように設けられるリング状のリブ１６１と、円柱の軸方向に等間隔で４本設けられている直線状のリブ１６１がある。これらリブ１６１の高さの分だけ、第２外筒１４とセパレータ１６との間に空隙が生ずる。
更に、セパレータ１６の末端側（リード線１８２の導出側）の端面は、図５に示すように略球状の凹面である凹部１６２を備え、端面の中央近辺はキャップ１７との間に空隙が生じている。
また、セパレータ１６は、その両端面を貫通する貫通孔１６３が５つ設けられている。この貫通孔のそれぞれにリード端子１８１及びリード線１８２を通すことで、これらの接触及びショートを防止する。
【００１１】
パッキング１５は、セパレータ１６の第１外筒１３側の周面を周回するように設けられた略リング形状体のフッ素ゴムであり、図３に示すように、第１外筒１３の端部側１３２、及び第２外筒１４の内面に密着することで気密性を保つように設けられている。
このパッキング１５は、径が約１３ｍｍの場合、横断面の大きさが縦１．０〜５．０ｍｍ、横１〜３ｍｍ（特に好ましくは縦１．５〜３．５ｍｍ、横１〜５ｍｍ）である。このような、パッキング１５を縦０．５〜４．５ｍｍ程度に圧縮して設けることで、十分な気密性を保つことができる。
【００１２】
キャップ１７は、セパレータ１６の末端側（リード線１８２導出側）端面に接触するように設けられた略円柱体であり、軸方向にリード線１８２を貫通させるための貫通孔が設けられている。また、キャップ１７の末端側は、第２外筒１４のかしめによってすぼめられた形となっている。
【００１３】
このようなガスセンサ１は、外気及び水分等がガスセンサ内１に侵入し易い、第１外筒１３と第２外筒１４との隙間、及び第２外筒のリード線１８２導出側端部を、パッキング１５及びキャップ１７にて気密とすることにより、本ガスセンサ１内に外気及び水分等を侵入させないようにすることができた。
また、第２外筒１４内の大部分を、熱膨張の少ない材質で構成されるセパレータ１６によって占めることで、第２外筒１４内が高温になっても内部が圧迫されないようにすることができ、パッキング１５、キャップ１７及びリード線１８２の圧迫による損傷を防ぐことができた。
【００１４】
更に、セパレータ１６を、パッキング１５、キャップ１７及びリブ１６１を介して第２外筒１４内に設けるとともに、セパレータ１６及び第２外筒１４間、セパレータ１６及びキャップ１７間に空隙を設けることで、セパレータ１６自体に第１外筒１３及び第２外筒１４からの熱が直接伝わりにくいものとすることができ、高温による劣化を抑制することができた。
また、これらの空隙は、セパレータ１６及びキャップ１７（特にキャップ１７）が熱膨張を起こした際の逃げ場所となるため、セパレータ１６及びキャップ１７の圧迫を避けることができ、圧迫による劣化を抑制することができた。
【００１５】
尚、本発明においては、上記実施例に示すものに限られず、目的、用途に応じて本発明の範囲内で種々変更した態様とすることができる。即ち、各実施例において、セパレータ１６の他端面に形成する凹部１６２は、球状に限らず、円錐状、角錐状としたり、底を平坦にすることができる。
また、セパレータ１６の外周に設けるリブ１６１は、図４に示す４本に限らず、３本、５本及び６本等と適宜変更することができるし、ねじのようにらせん状に設けることもできる。更に、リブ１６１の形状は、図２〜５に示す線形状に限らず、点状突起を多数設けたものとしてもよい。
また、セパレータ１６の材質はエンジニアプラスティックに限らず、セラミックスとすることもできる。セパレータ１６に用いるセラミックスとしてはジルコニア及びアルミナ等を挙げることができる。
【００１６】
【発明の効果】
本発明のガスセンサ素子によれば、外筒内のセパレータに熱が伝わりにくいために高温になりにくい。また、セパレータ及びキャップは熱膨張による圧迫が生じない。このため、セパレータ及びキャップの高温による劣化を抑制することができる。
【図面の簡単な説明】
【図１】本実施例のガスセンサ素子の外観を説明するための平面図である。
【図２】本実施例のガスセンサ素子を説明するための断面図である。
【図３】セパレータが配設した様子を説明するための部分断面図である。
【図４】セパレータを説明するための模式横断面図である。
【図５】セパレータを説明するための模式縦断面図である。
【図６】第２外筒内にセパレータを備える、従来のガスセンサの断面図である。
【符号の説明】
１；ガスセンサ、１１；センサ素子、１２；主体金具、１３；第１外筒、１４；第２外筒（保護外筒）、１５；パッキング、１６；セパレータ、１６１；リブ、１６２；凹部、１６３；貫通孔、１７；キャップ、１８１；リード端子、１８２；リード線、１９；プロテクタ。
【図１】
0004642993.tif 000002
【図２】
0004642993.tif 000003
【図３】
0004642993.tif 000004
【図４】
0004642993.tif 000005
【図５】
0004642993.tif 000006
【図６】
0004642993.tif 000007